(57)【特許請求の範囲】
【請求項１】
放送局から到来する、音声放送番組と、この音声放送番組に多重化され、一般放送多重データ、代替周波数リスト及び特殊多重データを含む多重データとを有する多重放送電波を受信する受信手段と、この多重放送電波から多重データを抽出するデータ抽出手段と、現在受信中の多重放送電波の受信レベルを検出する受信レベル検出手段と、前記代替周波数リストに基づいて追従動作を実行し、受信レベルの良好な多重放送電波を受信手段に受信させる追従動作手段と、前記データ抽出手段にて抽出された多重データ、又は通常データを画面表示する表示手段とを有する多重放送受信装置であって、
前記表示手段に表示中の表示内容が特殊多重データに関わる多重表示であるか否かを判定する表示画面判定手段と、
現在受信中の多重放送電波の受信レベルが第１所定レベル以下となると、前記代替周波数リストに基づいて追従動作を実行させ、この追従動作にて得られた多重放送電波の受信レベルが第２所定レベル以上となると、この追従動作にて得られた多重放送電波を受信手段に受信させる第１追従動作実行手段と、
所定時間毎に、前記代替周波数リストに基づいて追従動作を実行させ、この追従動作にて得られた多重放送電波の受信レベルが現在受信中の多重放送電波の受信レベルよりも良好となると、この追従動作にて得られた多重放送電波を受信手段に受信させる第２追従動作実行手段と、
前記表示画面判定手段の判定結果に基づいて第１追従動作実行手段又は第２追従動作実行手段を切換選択する制御手段とを有することを特徴とする多重放送受信装置。
【請求項２】
放送局から到来する、音声放送番組と、この音声放送番組に多重化され、一般放送多重データ、代替周波数リスト及び特殊多重データを含む多重データとを有する多重放送電波を受信する受信手段と、この多重放送電波から多重データを抽出するデータ抽出手段と、現在受信中の多重放送電波の受信レベルを検出する受信レベル検出手段と、前記代替周波数リストに基づいて追従動作を実行し、受信レベルの良好な多重放送電波を受信手段に受信させる追従動作手段と、前記データ抽出手段にて抽出された多重データ、又は通常データを画面表示する表示手段とを有する多重放送受信装置であって、
現在受信中の多重放送電波の受信レベルが第１所定レベル以下となると、前記代替周波数リストに基づいて追従動作を実行させ、この追従動作にて得られた多重放送電波の受信レベルが第２所定レベル以上となると、この追従動作にて得られた多重放送電波を受信手段に受信させるように追従動作手段を制御する弱電界追従パターンと、所定時間毎に、前記代替周波数リストに基づいて追従動作を実行させ、この追従動作にて得られた多重放送電波の受信レベルが現在受信中の多重放送電波の受信レベルよりも良好となると、この追従動作にて得られた多重放送電波を受信手段に受信させるように追従動作手段を制御する強電界追従パターンとを記憶する追従パターン記憶手段と、
前記表示手段に表示中の表示画面に基づいて現在受信中の多重放送電波に関わる受信内容を認識する受信内容認識手段と、
この受信内容認識手段にて特殊多重データに関わる受信内容を認識すると、前記追従パターン記憶手段から強電界追従パターンを読み出し、この読み出された強電界追従パターンに基づいて追従動作手段を制御する制御手段とを有することを特徴とする多重放送受信装置。
【請求項３】
放送局から到来する、音声放送番組と、この音声放送番組に多重化され、一般放送多重データ、代替周波数リスト及び特殊多重データを含む多重データとを有する多重放送電波を受信する受信手段と、この多重放送電波から多重データを抽出するデータ抽出手段と、現在受信中の多重放送電波の受信レベルを検出する受信レベル検出手段と、前記代替周波数リストに基づいて追従動作を実行し、受信レベルの良好な多重放送電波を受信手段に受信させる追従動作手段と、前記データ抽出手段にて抽出された多重データ、又は通常データを画面表示する表示手段とを有する多重放送受信装置であって、
現在受信中の多重放送電波の受信レベルが第１所定レベル以下となると、前記代替周波数リストに基づいて追従動作を実行させ、この追従動作にて得られた多重放送電波の受信レベルが第２所定レベル以上となると、この追従動作にて得られた多重放送電波を受信手段に受信させるように追従動作手段を制御する弱電界追従パターンと、所定時間毎に、前記代替周波数リストに基づいて追従動作を実行させ、この追従動作にて得られた多重放送電波の受信レベルが現在受信中の多重放送電波の受信レベルよりも良好となると、この追従動作にて得られた多重放送電波を受信手段に受信させるように追従動作手段を制御する強電界追従パターンと、この強電界追従パターンに基づいて追従動作手段を制御すると共に、この強電界追従パターンに関わる所定時間が経過する間に弱電界追従パターンに基づいて追従動作手段を制御する電界併用追従パターンとをそれぞれ記憶する追従パターン記憶手段と、
前記表示手段に表示中の表示画面に基づいて現在受信中の多重放送電波に関わる受信内容を認識する受信内容認識手段と、
この受信内容認識手段にて特殊多重データに関わる受信内容を認識すると、前記追従パターン記憶手段から電界併用追従パターンを読み出し、この読み出された電界併用追従パターンに基づいて追従動作手段を制御する制御手段とを有することを特徴とする多重放送受信装置。
【請求項４】
前記制御手段は、前記受信内容認識手段にて一般放送多重データに関わる受信内容を認識すると、前記追従パターン記憶手段から弱電界追従パターンを読み出し、この読み出された弱電界追従パターンに基づいて前記追従動作手段を制御することを特徴とする請求項２又は３記載の多重放送受信装置。
【請求項５】
現在の受信内容に応じて読み出された現在設定中の弱電界追従パターン、強電界追従パターン又は電界併用追従パターンとしての設定追従パターンを記憶する設定記憶手段を有し、
前記制御手段は、前記受信内容認識手段にて特殊多重データ又は一般放送多重データ以外のデータに関わる受信内容を認識すると、前記設定記憶手段に記憶中の設定追従パターンに基づいて追従動作手段を制御することを特徴とする請求項２又は３載の多重放送受信装置。
【請求項６】
現在の受信内容に応じて読み出された現在設定中の弱電界追従パターン、強電界追従パターン又は電界併用追従パターンとしての設定追従パターンを記憶する設定記憶手段を有し、
前記制御手段は、前記受信内容認識手段にて特殊多重データ又は一般放送多重データ以外のデータに関わる受信内容を認識すると、前記設定記憶手段に記憶中の設定追従パターンに基づいて追従動作手段を制御することを特徴とする請求項５記載の多重放送受信装置。
【請求項７】
前記設定記憶手段に記憶中の設定追従パターンがあるか否かを判定する記憶有無判定手段を有し、
前記制御手段は、前記受信内容認識手段にて特殊多重データ又は一般放送多重データ以外のデータに関わる受信内容を認識し、さらに、前記記憶有無判定手段にて記憶中の設定追従パターンがないと判定されると、前記設定記憶手段に弱電界追従パターンを記憶させることを特徴とする請求項５記載の多重放送受信装置。
【請求項８】
前記設定記憶手段に記憶中の設定追従パターンがあるか否かを判定する記憶有無判定手段を有し、
前記制御手段は、前記受信内容認識手段にて特殊多重データ又は一般放送多重データ以外のデータに関わる受信内容を認識し、さらに、前記記憶有無判定手段にて記憶中の設定追従パターンがないと判定されると、前記設定記憶手段に弱電界追従パターンを記憶させることを特徴とする請求項６記載の多重放送受信装置。
【請求項９】
前記特殊多重データは、この特殊多重データを含む多重放送電波を送信する放送局の周辺地域に関わる交通情報であることを特徴とする請求項１、２、３、６、７又は８記載の多重放送受信装置。
【請求項１０】
前記特殊多重データは、この特殊多重データを含む多重放送電波を送信する放送局の周辺地域に関わる交通情報であることを特徴とする請求項４記載の多重放送受信装置。
【請求項１１】
前記特殊多重データは、この特殊多重データを含む多重放送電波を送信する放送局の周辺地域に関わる交通情報であることを特徴とする請求項５記載の多重放送受信装置。
【発明の詳細な説明】
【０００１】
【発明の属する技術分野】
本発明は、主に放送局から到来する多重放送を受信し、この多重放送から音声番組放送の他に、多重データを抽出し、この多重データに基づいて、例えば文字放送を画面表示するＦＭ多重受信装置に代表される多重放送受信装置に関する。
【０００２】
【従来の技術】
近年、このような多重放送としては、例えば欧州等のラジオデータシステム（ＲＤＳ）放送のように、通常のラジオ放送である音声番組放送を受聴しながら、文字放送をも目視することができる、いわゆる、「見えるラジオ」として広く脚光を浴びている。
【０００３】
この多重放送は、ラジオ放送の放送電波に多重データを多重化して、この多重化された多重データを受信装置側で抽出し、この抽出された多重データを文字放送や様々なサービスデータとして取り込ませるようにしたものである。
【０００４】
この多重データには、文字放送等の一般放送多重データや、様々なサービスデータが含まれており、例えばサービスデータとしては音声放送の番組を識別する番組識別データ（以下、単にＰＩコードと称する）や、周辺地域の同一ネットワーク局の受信周波数を一覧にした代替周波数リスト（以下、単にＡＦリストと称する）等があげられる。
【０００５】
このようなＡＦリストを利用して行われる多重放送受信装置の機能としては自動追従機能があげられる。
【０００６】
この自動追従機能とは、多重放送受信装置側で現在受信中の多重放送電波からＡＦリストを抽出し、このＡＦリストをメモリに記憶しておき、現在受信中の多重放送電波の受信レベルが低下すると、このメモリに記憶したＡＦリストに基づいて同一ネットワーク局の多重放送電波を自動追従し、この受信レベルが良好な同一ネットワーク局の多重放送電波を受信することにより、常に受信レベルの良好な多重放送電波をユーザーに享受するものである。
【０００７】
このような多重放送受信装置の自動追従機能としては、大きく分けて、弱電界追従動作と強電界追従動作との２種類に分別することができる。
【０００８】
では、ここで弱電界追従動作について図６に基づき説明する。図６は従来の多重放送受信装置における弱電界追従処理の処理動作を示すフローチャートである。
【０００９】
この弱電界追従処理とは、現在受信中の放送局の受信レベルが第１の所定レベルまで低下した時点でＡＦリストに基づく追従動作を開始し、追従動作にて得られた放送局の受信レベルが第２の所定レベルまで上がった時点で追従動作を停止するものであり、現在受信中の放送局の受信レベルを継続的に検出しながら、良好な受信レベルの放送局に対して周波数追従する処理である。
【００１０】
図６に示す弱電界追従処理において、現在受信中の放送局（以下、単に追従元放送局と称する）の受信レベルを検出し（ステップＳ１０１）、この追従元放送局に関わるＡＦリストがメモリ内に保持してあるか否かを判定する（ステップＳ１０２）。
【００１１】
このメモリ内にＡＦリストが保持してあるのであれば、追従元放送局の受信レベルが追従電界開始レベル以下であるか否かを判定する（ステップＳ１０３）。尚、この追従電界開始レベルとは、放送局の受信状態が維持できなくなるまで低下した受信レベルに相当するものである。
【００１２】
ステップＳ１０３にて追従元放送局の受信レベルが追従電界開始レベル以下であれば、メモリ内に保持してあるＡＦリストに基づいてＡＦ局を順次追従し（ステップＳ１０４）、現在追従されている放送局（以下、単に追従先放送局）の受信レベルを検出し（ステップＳ１０５）、この追従先放送局が追従元放送局と同一放送内容であるか否かを判定する（ステップＳ１０６）。
【００１３】
尚、ここで同一放送内容であるか否かを判別するためには、追従元放送局のＰＩコードを予め記憶しておく必要があり、追従元放送局と追従先放送局とのＰＩコードが同一の場合には、同一放送内容として判定することができる。
【００１４】
ステップＳ１０６にて追従先放送局が追従元放送局と同一放送内容、つまり同一ＰＩコードと判定されたのであれば、この追従先放送局の受信レベルが追従電界停止レベル以上であるか否かを判定する（ステップＳ１０７）。尚、追従電界停止レベルとは、放送局に対する良好な受信状態を充分に維持することができる受信レベルに相当するものである。
【００１５】
ステップＳ１０７にて追従先放送局の受信レベルが追従電界停止レベル以上であれば、この追従先放送局に対して周波数追従を実行し（ステップＳ１０８）、この弱電界追従処理を終了する。
【００１６】
また、ステップＳ１０２にてＡＦリストがメモリ内に保持されていなければ、又はステップＳ１０３にて追従元放送局の受信レベルが追従電界開始レベル以下でなければ、この弱電界追従処理を終了する。
【００１７】
また、ステップＳ１０６にて追従先放送局が同一放送内容でなければ、又はステップＳ１０７にて追従先放送局の受信レベルが追従電界停止レベル以上でなければ、ステップＳ１０４に移行することにより、さらなる追従動作を実行するものである。
【００１８】
このように従来の弱電界追従処理によれば、現在受信中の放送局の受信レベルが低下したとしても、ユーザーは現在受信中の放送局と同一放送内容の良好な受信レベルの放送局を常に得ることができる。
【００１９】
また、強電界追従動作について図７に基づき説明する。図７は従来の多重放送受信装置における強電界追従処理の処理動作を示すフローチャートである。
【００２０】
この強電界追従処理とは、現在受信中の放送局（追従元放送局）の受信レベルに関係なく、ＡＦリストに基づく追従動作を実行し、この追従動作にて得られた放送局（追従先放送局）の受信レベルが追従元放送局の受信レベルよりも高い場合には、この追従先放送局の受信周波数に周波数追従する処理である。尚、この強電界追従処理は、所定時間毎に、断続的に行われる処理である。
【００２１】
図７に示す強電界追従処理において、現在受信中の放送局（追従元放送局）の受信レベルを検出し（ステップＳ１１１）、この追従元放送局の受信レベル及び受信周波数をメモリに記憶し（ステップＳ１１２）、この追従元放送局に関わるＡＦリストがメモリ内に保持してあるか否かを判定する（ステップＳ１１３）。
【００２２】
このメモリ内にＡＦリストが保持してあるのであれば、このＡＦリストに基づいてＡＦ局を順次追従させ（ステップＳ１１４）、この追従先放送局の受信レベルを検出し（ステップＳ１１５）、この追従先放送局と追従元放送局とが同一放送内容であるか否かを判定する（ステップＳ１１６）。
【００２３】
この追従先放送局と追従元放送局とが同一放送内容であれば、この追従先放送局の受信レベルがメモリに記憶中の放送局の受信レベルよりも上か否かを判定する（ステップＳ１１７）。
【００２４】
この追従先放送局の受信レベルがメモリに記憶中の放送局の受信レベルよりも上であれば、この追従先放送局の受信周波数及び受信レベルをメモリに記憶更新し（ステップＳ１１８）、ＡＦリストによる全ＡＦ局の追従動作が終了したか否かを判定する（ステップＳ１１９）。
【００２５】
ＡＦリストに基づく全ＡＦ局の追従動作が終了したのであれば、現在メモリに記憶中の追従先放送局の受信周波数に対して周波数追従して（ステップＳ１２０）、この強電界追従処理を終了する。
【００２６】
ステップＳ１１３にてメモリ内にＡＦリストが保持されていなければ、この強電界追従処理を終了する。
【００２７】
また、ステップＳ１１６にて追従先放送局と追従元放送局とが同一放送内容でなければ、又はステップＳ１１７にて追従先放送局の受信レベルがメモリに記憶中の放送局の受信レベルよりも上でなければ、ステップＳ１１９に移行する。
【００２８】
また、ステップＳ１１９にてＡＦリストに基づく全ＡＦ局の追従動作が終了したのでなければ、ステップＳ１１４に移行することにより、さらなる追従動作を実行する。
【００２９】
従って、このような従来の強電界追従処理によれば、現在受信中の放送局の受信レベルに関係なく、同一放送内容を放送している複数の放送局の内、常に最高の受信レベルの放送局を受信することができる。
【００３０】
しかしながら、このような従来の強電界追従処理によれば、現在受信中の放送局の受信レベルが良好であるか否かを問わず、最高の受信レベルを有する同一放送内容の放送局に追従動作を実行しようとすることにより、頻繁に追従動作が行われるため、多重放送受信装置にチューナ部が一つしかない場合にはＡＦリストに基づく各受信周波数の追従動作を実行した場合には現在受信中の放送局の放送が中断してしまうといった事態が発生した。
【００３１】
そこで、このような事態を打開するために、一般文字放送等といった通常の多重放送受信中に追従動作を実行する場合には弱電界追従処理を採用した方がのぞましい。
【００３２】
また、先頃実用化された多重放送のサービスとして、周辺地域に関わる渋滞情報等の交通情報を運転者に提供する道路交通情報システム（以下、単にＶＩＣＳと称する）サービスがある。
【００３３】
このＶＩＣＳサービスとは、既存の多重放送を利用して、この多重放送に多重化した多重データにＶＩＣＳデータを含めることにより、このＶＩＣＳ放送を送信する放送局の周辺地域に関わる渋滞情報等の交通情報を運転者に提供するものである。
【００３４】
通常、このようなＶＩＣＳ放送は、主にＮＨＫのＦＭ放送局から放送しており、このようなＮＨＫのＦＭ放送局は、各都道府県毎に１局づつ設置してある。つまり、各都道府県のＶＩＣＳ情報は、個々の都道府県のＮＨＫのＦＭ放送局から得ることができる。
【００３５】
例えばＮＨＫ東京のＦＭ放送局からは、東京都内のＶＩＣＳ情報を得ることができ、ＮＨＫ浦和の放送局からは埼玉県内のＶＩＣＳ情報を得ることができる。
【００３６】
従って、このようなＶＩＣＳ放送を受信可能とする多重放送受信装置によれば、このＶＩＣＳ放送を受信することにより、このＶＩＣＳ放送を送信する放送局の周辺地域に関わる交通情報を運転者に提供し、ひいては、その地域に関わる交通渋滞を緩和することができる。
【００３７】
しかしながら、上記従来の弱電界追従処理を採用した多重放送受信装置で、各放送局のサービスエリアを通過して目的地に向かって走行中にＶＩＣＳ放送に対する追従動作を実行する場合には、次に説明するような弊害が発生する。
【００３８】
例えば各ＮＨＫのＦＭ放送局のサービスエリアは、必ずしも各都道府県内にあるとは限らず、例えばＮＨＫ東京のサービスエリアの場合には、ＮＨＫ東京の放送局が東京都内にあるとしても、そのサービスエリアは１都３県に跨がっており、必然的に、その放送局の送信出力も強くなっている。
【００３９】
そこで、例えば地方（埼玉県）から東京都への走行中にＶＩＣＳ放送に対する追従動作を実行した場合、現在受信中の地方局（例えばＮＨＫ浦和）の受信レベルが追従電界開始レベル以下となった時点でＮＨＫ東京への追従動作を実行するのものである。しかしながら、運転者が東京都内に進入したとしても、ＮＨＫ浦和の受信レベルが高い為に、その受信レベルが追従電界開始レベル以下になるとは限らず、東京都内にいるにも関わらず、ＮＨＫ浦和からの埼玉県内の交通情報（ＶＩＣＳ情報）を得ることになってしまう。
【００４０】
また、東京都から地方（埼玉県）への走行中にＶＩＣＳ放送に対する追従動作を実行した場合、前述したように埼玉県はＮＨＫ東京のサービスエリア内にあるので、その送信出力は非常に強い為、ＮＨＫ浦和の放送局周辺に近付いたとしても、ＮＨＫ東京からの受信レベルは追従開始レベル以下にならず、埼玉県内にいるにも関わらず、ＮＨＫ東京からの東京都内の交通情報を得ることになってしまう。
【００４１】
そこで、このような弊害をなくすために多重放送受信装置に強電界追従処理と弱電界追従処理との２通りの自動追従パターンを設定しておき、ユーザー側の入力操作に応じて、これら自動追従パターンを切換設定する、つまり、一般多重放送を受信中に追従動作を実行する場合には弱電界追従処理を、ＶＩＣＳ放送を受信中に追従動作を実行する場合には強電界追従処理を切換設定するといった方法が考えられる。
【００４２】
【発明が解決しようとする課題】
しかしながら、上記従来の多重放送受信装置によれば、弱電界追従処理及び強電界追従処理といったように２通りの自動追従パターンを設定しておき、ユーザー側の入力操作に応じて自動追従パターンを切換設定可能とするようにしたが、現在受信中の放送がＶＩＣＳ放送又は一般多重放送に切り替わる度に、その都度、入力操作によって各自動追従パターンを設定し直さなければならず、非常に、操作性が悪いといった問題点があった。
【００４３】
本発明は上記問題点に鑑みてなされたものであり、その目的とするところは、各放送に対応した適切な追従動作を切換設定すると共に、その操作性に優れた多重放送受信装置を提供することにある。
【００４４】
【課題を解決するための手段】
上記目的を達成するために本発明における請求項１記載の多重放送受信装置は、放送局から到来する、音声放送番組と、この音声放送番組に多重化され、一般放送多重データ、代替周波数リスト及び特殊多重データを含む多重データとを有する多重放送電波を受信する受信手段と、この多重放送電波から多重データを抽出するデータ抽出手段と、現在受信中の多重放送電波の受信レベルを検出する受信レベル検出手段と、前記代替周波数リストに基づいて追従動作を実行し、受信レベルの良好な多重放送電波を受信手段に受信させる追従動作手段と、前記データ抽出手段にて抽出された多重データ、又は通常データを画面表示する表示手段とを有する多重放送受信装置であって、前記表示手段に表示中の表示内容が特殊多重データに関わる多重表示であるか否かを判定する表示画面判定手段と、現在受信中の多重放送電波の受信レベルが第１所定レベル以下となると、前記代替周波数リストに基づいて追従動作を実行させ、この追従動作にて得られた多重放送電波の受信レベルが第２所定レベル以上となると、この追従動作にて得られた多重放送電波を受信手段に受信させる第１追従動作実行手段と、所定時間毎に、前記代替周波数リストに基づいて追従動作を実行させ、この追従動作にて得られた多重放送電波の受信レベルが現在受信中の多重放送電波の受信レベルよりも良好となると、この追従動作にて得られた多重放送電波を受信手段に受信させる第２追従動作実行手段と、前記表示画面判定手段の判定結果に基づいて第１追従動作実行手段又は第２追従動作実行手段を切換選択する制御手段とを有することを特徴とする。
【００４５】
前記多重放送電波とは、例えばＦＭラジオ放送等の放送電波に文字放送データやサービスデータ等の多重データを多重化した、いわゆる「見えるラジオ」と呼ばれる放送電波に相当するものである。
【００４６】
前記多重データは、例えば一般放送多重データ、代替周波数リストや特殊多重データを有しており、前記一般放送多重データは一般の文字放送に関わるデータに相当するものであり、前記代替周波数リストはネットワーク局の受信周波数をリスト化した周波数リストであり、前記特殊多重データは例えばＶＩＣＳ等の交通情報に相当するものである。
【００４７】
前記受信手段は、例えばアンテナ、チューナ部及びＰＬＬ回路等に相当するものである。
【００４８】
前記データ抽出手段は、多重放送電波から多重データを抽出する、例えば多重デスクランブル及び多重デコーダ等に相当するものである。尚、このデータ抽出手段にて抽出された多重データはメモリに記憶保持されるものである。
【００４９】
前記受信レベル検出手段は、例えばチューナ部に内蔵され、現在受信中の放送電波を直流電圧等のシグナルメータ電圧に変換することにより、現在受信中の放送電波の受信レベルを検出するものである。
【００５０】
前記追従動作手段は、前記代替周波数リストに基づいて自動追従動作を行うチューナ部及びＰＬＬ回路等に相当するものである。
【００５１】
前記表示手段は、例えばＬＣＤ表示部に相当するものであり、多重データ及び通常データを画面表示するものである。
【００５２】
この表示手段に表示される多重データとしては、例えば一般放送多重データに関わる文字放送や、特殊多重データに関わるＶＩＣＳ放送に相当するものであり、通常データとしては、多重放送以外のモードである、例えばＣＤモードやテープモード等に関わるモード毎の表示データに相当するものである。
【００５３】
前記表示画面判定手段は、表示手段に表示中の表示内容が特殊多重データに関わる多重表示であるか否かを判定するものであり、例えばＶＩＣＳ放送の場合には表示手段の表示内容を特殊多重データに関わる多重表示として判定するものである。
【００５４】
前記第１追従動作実行手段は、例えば前述した図６に示す弱電界追従処理に相当するものであり、第１所定レベルとは追従電界開始レベル、第２所定レベルとは追従電界停止レベルに相当するものである。
【００５５】
前記第２追従動作実行手段は、例えば前述した図７に示す強電界追従処理に相当するものである。
【００５６】
前記制御手段は、例えばシステムＣＰＵに相当するものであり、前記表示画面判定手段の判定結果に基づいて第１追従動作実行手段又は第２追従動作実行手段を切換設定するものである。
【００５７】
従って、本発明における請求項１記載の多重放送受信装置によれば、表示画面判定手段の判定結果に基づいて第１追従動作実行手段又は第２追従動作実行手段を切換設定するようにしたので、ユーザーは、その表示画面が特殊多重データに関わる画面に切替わる度に、その都度切換操作を行わずとも、特殊多重データ受信中に対応した自動追従動作を自動的に設定することができる。それゆえ、その操作性は、従来に比して、著しく優れたものとなる。
【００５８】
また、本発明における請求項２記載の多重放送受信装置は、放送局から到来する、音声放送番組と、この音声放送番組に多重化され、一般放送多重データ、代替周波数リスト及び特殊多重データを含む多重データとを有する多重放送電波を受信する受信手段と、この多重放送電波から多重データを抽出するデータ抽出手段と、現在受信中の多重放送電波の受信レベルを検出する受信レベル検出手段と、前記代替周波数リストに基づいて追従動作を実行し、受信レベルの良好な多重放送電波を受信手段に受信させる追従動作手段と、前記データ抽出手段にて抽出された多重データ、又は通常データを画面表示する表示手段とを有する多重放送受信装置であって、現在受信中の多重放送電波の受信レベルが第１所定レベル以下となると、前記代替周波数リストに基づいて追従動作を実行させ、この追従動作にて得られた多重放送電波の受信レベルが第２所定レベル以上となると、この追従動作にて得られた多重放送電波を受信手段に受信させるように追従動作手段を制御する弱電界追従パターンと、所定時間毎に、前記代替周波数リストに基づいて追従動作を実行させ、この追従動作にて得られた多重放送電波の受信レベルが現在受信中の多重放送電波の受信レベルよりも良好となると、この追従動作にて得られた多重放送電波を受信手段に受信させるように追従動作手段を制御する強電界追従パターンとを記憶する追従パターン記憶手段と、前記表示手段に表示中の表示画面に基づいて現在受信中の多重放送電波に関わる受信内容を認識する受信内容認識手段と、この受信内容認識手段にて特殊多重データに関わる受信内容を認識すると、前記追従パターン記憶手段から強電界追従パターンを読み出し、この読み出された強電界追従パターンに基づいて追従動作手段を制御する制御手段とを有することを特徴とする。
【００５９】
上記請求項１記載の多重放送受信装置と重複する構成については、その説明を省略する。
【００６０】
前記弱電界追従パターンとは、前述した図６に示すような弱電界追従処理に相当するものであり、第１所定レベルとは追従電界開始レベル、第２所定レベルとは追従電界停止レベルに相当するものである。
【００６１】
前記強電界追従パターンとは、前述した図７に示すような強電界追従処理に相当するものである。
【００６２】
つまり、一般文字放送等の一般放送多重データを受信中に自動追従動作を実行する場合には弱電界追従パターンを設定し、ＶＩＣＳ放送等の特殊多重データを受信中に自動追従動作を実行する場合には強電界追従パターンを設定するものである。尚、これら弱電界追従パターン及び強電界追従パターンを記憶する追従パターン記憶手段は、例えばパターンメモリに相当するものである。
【００６３】
前記受信内容認識手段は、表示手段に表示中の表示画面に基づいて現在受信中の多重放送電波に関わる受信内容を認識するものであり、例えば、現在表示中の表示画面が一般文字放送の場合には一般放送多重データに関わる受信内容であると認識し、現在表示中の表示画面がＶＩＣＳ放送の場合には特殊多重データに関わる受信内容であると認識するものである。
【００６４】
従って、本発明における請求項２記載の多重放送受信装置によれば、現在の表示画面が特殊多重データに関わる画面の場合に、受信内容認識手段にて特殊多重データに関わる受信内容を認識すると、ユーザーによる切換操作を行わずとも、前記追従パターン記憶手段から強電界追従パターンを読み出し、この読み出された強電界追従パターンに基づいて追従動作手段を制御するようにしたので、ユーザーは、その表示画面が特殊多重データに関わる画面に切替わる度に、その都度切換操作を行わずとも、特殊多重データ受信中に対応した自動追従動作を自動的に設定することができる。それゆえ、その操作性は、従来に比して、著しく優れたものとなる。
【００６５】
また、本発明における請求項３記載の多重放送受信装置は、放送局から到来する、音声放送番組と、この音声放送番組に多重化され、一般放送多重データ、代替周波数リスト及び特殊多重データを含む多重データとを有する多重放送電波を受信する受信手段と、この多重放送電波から多重データを抽出するデータ抽出手段と、現在受信中の多重放送電波の受信レベルを検出する受信レベル検出手段と、前記代替周波数リストに基づいて追従動作を実行し、受信レベルの良好な多重放送電波を受信手段に受信させる追従動作手段と、前記データ抽出手段にて抽出された多重データ、又は通常データを画面表示する表示手段とを有する多重放送受信装置であって、現在受信中の多重放送電波の受信レベルが第１所定レベル以下となると、前記代替周波数リストに基づいて追従動作を実行させ、この追従動作にて得られた多重放送電波の受信レベルが第２所定レベル以上となると、この追従動作にて得られた多重放送電波を受信手段に受信させるように追従動作手段を制御する弱電界追従パターンと、所定時間毎に、前記代替周波数リストに基づいて追従動作を実行させ、この追従動作にて得られた多重放送電波の受信レベルが現在受信中の多重放送電波の受信レベルよりも良好となると、この追従動作にて得られた多重放送電波を受信手段に受信させるように追従動作手段を制御する強電界追従パターンと、この強電界追従パターンに基づいて追従動作手段を制御すると共に、この強電界追従パターンに関わる所定時間が経過する間に弱電界追従パターンに基づいて追従動作手段を制御する電界併用追従パターンとをそれぞれ記憶する追従パターン記憶手段と、前記表示手段に表示中の表示画面に基づいて現在受信中の多重放送電波に関わる受信内容を認識する受信内容認識手段と、この受信内容認識手段にて特殊多重データに関わる受信内容を認識すると、前記追従パターン記憶手段から電界併用追従パターンを読み出し、この読み出された電界併用追従パターンに基づいて追従動作手段を制御する制御手段とを有することを特徴とする。
【００６６】
上記請求項１記載の多重放送受信装置と重複する構成については、その説明を省略する。
【００６７】
前記電界併用追従パターンとは、前記弱電界追従パターン及び強電界追従パターンを併用するものであり、前記強電界追従パターンは所定時間毎に実行されるものであり、この所定時間が経過する間に弱電界追従パターンを実行するものである。
【００６８】
従って、本発明における請求項３記載の多重放送受信装置によれば、現在の表示画面が特殊多重データに関わる画面の場合に、受信内容認識手段にて特殊多重データに関わる受信内容を認識すると、ユーザーによる切換操作を行わずとも、前記追従パターン記憶手段から電界併用追従パターンを読み出し、この読み出された電界併用追従パターンに基づいて追従動作手段を制御するようにしたので、ユーザーは、その表示画面が特殊多重データに関わる画面に切替わる度に、その都度、切換操作を行わずとも、特殊多重データ受信中に対応した自動追従動作を自動的に設定することができる。それゆえ、その操作性は、従来に比べて、著しく優れたものとなる。
【００６９】
また、特殊多重データを受信中に自動追従動作を実行する場合には電界併用追従パターンを設定するようにしたので、つまり、所定時間毎に強電界追従処理を実行し、さらに所定時間が経過するまでの間は弱電界追従処理を実行するようにしたので、常に受信レベルの良好な特殊多重データに関わる放送局に対して自動追従動作を図ることができる。
【００７０】
また、本発明における請求項４記載の多重放送受信装置は、上記請求項２又は３記載の多重放送受信装置の構成に加えて、前記制御手段は、前記受信内容認識手段にて一般放送多重データに関わる受信内容を認識すると、前記追従パターン記憶手段から弱電界追従パターンを読み出し、この読み出された弱電界追従パターンに基づいて前記追従動作手段を制御することを特徴とする。
【００７１】
従来技術にて説明したように、通常の一般放送多重データ受信中に実行される自動追従動作として強電界追従処理を設定した場合、現在受信中の放送局の受信レベルが良好であるか否かを問わず、最高の受信レベルを有する同一放送内容の放送局に追従動作を実行しようとすることにより、頻繁に追従動作が行われるため、多重放送受信装置にチューナ部が一つしかない場合にはＡＦリストに基づく各受信周波数の追従動作を実行して現在受信中の放送局の放送が中断してしまうといった強電界追従処理による弊害が発生していた。
【００７２】
従って、本発明における請求項４記載の多重放送受信装置によれば、上記請求項２又は３記載の多重放送受信装置の効果に加えて、前記受信内容認識手段にて一般放送多重データに関わる受信内容を認識すると、前記追従パターン記憶手段から弱電界追従パターンを読み出し、この読み出された弱電界追従パターンに基づいて前記追従動作手段を制御するようにしたので、一般放送多重データに関わる強電界追従処理の弊害を無くすと共に、表示画面が一般放送多重データに関わる画面に切替わる毎に、その都度、ユーザーによる切換操作を行わずとも、一般放送多重データ受信中に対応した自動追従動作を自動的に設定することができる。それゆえ、その操作性は、従来に比べて、著しく優れたものとなる。
【００７３】
また、本発明における請求項５記載の多重放送受信装置は、上記請求項２又は３記載の多重放送受信装置の構成に加えて、現在の受信内容に応じて読み出された現在設定中の弱電界追従パターン、強電界追従パターン又は電界併用追従パターンとしての設定追従パターンを記憶する設定記憶手段を有し、前記制御手段は、前記受信内容認識手段にて特殊多重データ又は一般放送多重データ以外のデータに関わる受信内容を認識すると、前記設定記憶手段に記憶中の設定追従パターンに基づいて追従動作手段を制御することを特徴とする。
【００７４】
本発明における請求項６記載の多重放送受信装置は、上記請求項４記載の多重放送受信装置の構成に加えて、現在の受信内容に応じて読み出された現在設定中の弱電界追従パターン、強電界追従パターン又は電界併用追従パターンとしての設定追従パターンを記憶する設定記憶手段を有し、前記制御手段は、前記受信内容認識手段にて特殊多重データ又は一般放送多重データ以外のデータに関わる受信内容を認識すると、前記設定記憶手段に記憶中の設定追従パターンに基づいて追従動作手段を制御することを特徴とする。
【００７５】
前記設定記憶手段は、現在、追従動作手段に設定中の設定追従パターンを記憶するものであり、例えば設定メモリに相当するものである。
【００７６】
前記特殊多重データ又は一般放送多重データ以外のデータとあるのは、多重放送以外のモードである、例えばＣＤモードやテープモード等に関わるモード毎の表示データである通常データに相当するものである。
【００７７】
従って、本発明における請求項５又は６記載の多重放送受信装置によれば、上記請求項２、３又は４記載の多重放送受信装置の効果に加えて、多重放送表示画面から他の多重放送表示画面以外の画面に切換えた場合でも、多重放送表示時に設定記憶手段に記憶した設定追従パターンを引き継ぐことを可能にしたので、ユーザーが一時的に他モードへ操作後、また多重放送画面に戻る場合を想定して、他モード時でも追従動作パターンを維持して追従することにより、多重放送画面を再表示させたときに適切な放送局を受信している状態を維持することが可能である。
【００７８】
また、本発明における請求項７記載の多重放送受信装置は、上記請求項５記載の多重放送受信装置の構成に加えて、前記設定記憶手段に記憶中の設定追従パターンがあるか否かを判定する記憶有無判定手段を有し、前記制御手段は、前記受信内容認識手段にて特殊多重データ又は一般放送多重データ以外のデータに関わる受信内容を認識し、さらに、前記記憶有無判定手段にて記憶中の設定追従パターンがないと判定されると、前記設定記憶手段に弱電界追従パターンを記憶させることを特徴とする。
【００７９】
また、本発明における請求項８記載の多重放送受信装置は、上記請求項６記載の多重放送受信装置の構成に加えて、前記設定記憶手段に記憶中の設定追従パターンがあるか否かを判定する記憶有無判定手段を有し、前記制御手段は、前記受信内容認識手段にて特殊多重データ又は一般放送多重データ以外のデータに関わる受信内容を認識し、さらに、前記記憶有無判定手段にて記憶中の設定追従パターンがないと判定されると、前記設定記憶手段に弱電界追従パターンを記憶させることを特徴とする。
【００８０】
前記記憶有無判定手段は、前記設定記憶手段に記憶中の設定追従パターンがあるか否かを判定するものである。
【００８１】
尚、前記設定記憶手段に記憶中の設定追従パターンが記憶されていないと、弱電界追従パターンを記憶させるようにしたのは、前述したように特殊多重データを受信するとき以外は弱電界追従パターンを設定するのが望ましいためである。
【００８２】
従って、本発明における請求項７又は８記載の多重放送受信装置によれば、上記請求項５又は６記載の多重放送受信装置の効果に加えて、受信内容認識手段にて特殊多重データ又は一般放送多重データ以外のデータに関わる受信内容を認識し、さらに、記憶有無判定手段にて記憶中の設定追従パターンがないと判定されると、設定記憶手段に弱電界追従パターンを記憶させるようにしたので、常に円滑な自動追従動作を自動設定することができる。
【００８３】
また、本発明における請求項９記載の多重放送受信装置は、上記請求項１、２、３、６、７又は８記載の多重放送受信装置の構成に加えて、前記特殊多重データは、この特殊多重データを含む多重放送電波を送信する放送局の周辺地域に関わる交通情報であることを特徴とする。
【００８４】
本発明における請求項１０記載の多重放送受信装置は、上記請求項４記載の多重放送受信装置の構成に加えて、前記特殊多重データは、この特殊多重データを含む多重放送電波を送信する放送局の周辺地域に関わる交通情報であることを特徴とする。
【００８５】
本発明における請求項１１記載の多重放送受信装置は、上記請求項５記載の多重放送受信装置の構成に加えて、前記特殊多重データは、この特殊多重データを含む多重放送電波を送信する放送局の周辺地域に関わる交通情報であることを特徴とする。
【００８６】
前記特殊多重データは、この特殊多重データを含む多重放送電波を送信する放送局の周辺地域に関わる交通情報、いわゆるＶＩＣＳ情報に相当するものである。
【００８７】
尚、このＶＩＣＳ情報は、例えばＮＨＫ東京のＦＭ放送局から得られるＶＩＣＳ情報とは、東京都内の交通情報に相当するものであり、ＮＨＫ浦和のＦＭ放送局から得られるＶＩＣＳ情報とは、埼玉県内の交通情報に相当するものである。
【００８８】
それゆえ、この多重放送受信装置においては、ＶＩＣＳ放送を送信している放送局の中で最良の受信レベルが得られる放送局が多重放送受信装置が位置する地域に隣接していることになる。
【００８９】
つまり、このようなＶＩＣＳ放送に対して自動追従動作を行う場合には、強電界追従処理が大きな役割を果たすことになる。
【００９０】
従って、本発明における請求項９、１０又は１１記載の多重放送受信装置によれば、上記請求項１、２、３、４、５、６、７又は８記載の多重放送受信装置の効果に加えて、特殊多重データであるＶＩＣＳ放送の受信中においては強電界追従パターン又は電界併用追従パターンを設定するようにしたので、常に多重放送受信装置が位置する地域の交通情報を得ることができる。
【００９１】
【発明の実施の形態】
以下、図面に基づいて本発明の多重放送受信装置の実施の形態を示すＦＭ多重受信装置について説明する。図１は本発明の実施の形態に示すＦＭ多重受信装置内部の概略構成を示すブロック図である。
【００９２】
図１においてＦＭ多重受信装置１０は、図示せぬＦＭ放送局から到来する、音声放送番組と、この音声放送番組に多重化され、一般放送多重データ、代替周波数リスト（ＡＦリスト）及び特殊多重データ等を含む多重データとを有する多重放送電波を受信する二つの受信アンテナ１１と、これら受信アンテナ１１からの放送信号を分配するアンテナ分配部１２と、ＰＬＬ回路１３から出力される電圧に基づいて放送局の放送電波と同調して放送信号を得ると共に、この放送信号から音声放送番組の音声信号を得るチューナ部１４と、このチューナ部１４から得られた放送信号をデスクランブルして多重データを得る多重デスクランブル１５と、この多重デスクランブル１５から得られた多重データをデコードする多重デコーダ１６と、この多重データを記憶するデータ用ＳＲＡＭ１７と、文字や記号等のデータを記憶したフォント用ＲＯＭ１８と、様々なデータを画面表示するＬＣＤ表示部１９と、様々な指令を入力するキー部２０と、様々な警報等を通知する報知音を音声出力するブザー部２１と、様々な警報等を通知するために点灯表示するインジケータ表示部（ＬＥＤ）２２と、これらＬＣＤ表示部１９、キー部２０、ブザー部２１及びインジケータ表示部２２を制御する表示用ＣＰＵ２３と、これらシステム全体を制御するシステムＣＰＵ２４とを有している。
【００９３】
尚、請求項に記載の受信手段は、前記受信アンテナ１１、ＰＬＬ回路１３及びチューナ部１４に相当し、前記追従動作手段はＰＬＬ回路１３及びチューナ部１４に相当し、前記第１追従動作実行手段はＰＬＬ回路１３及びチューナ部１４に相当し、前記第２追従動作実行手段はＰＬＬ回路１３及びチューナ部１４に相当し、前記データ抽出手段は前記多重デスクランブル１５及び多重デコーダ１６に相当し、前記表示手段はＬＣＤ表示部１９に相当し、前記受信内容認識手段は表示用ＣＰＵ２３及びシステムＣＰＵ２４に相当し、前記表示画面判定手段は表示用ＣＰＵ２３及びシステムＣＰＵ２４に相当し、前記制御手段及び記憶有無判定手段はシステムＣＰＵ２４に相当するものである。
【００９４】
前記ＦＭ多重受信装置１０は、前記多重デコーダ１６にてデコードされた現在受信中の放送局のＡＦリストを記憶する保持メモリ２５と、現在受信中の放送局の受信周波数及び受信レベルを記憶する受信メモリ２６と、後述する弱電界追従パターン及び電界併用追従パターン等の追従パターンを記憶しておくパターンメモリ２７と、現在設定中の追従パターンを記憶する設定メモリ２８とを有している。尚、請求項に記載の追従パターン記憶手段はパターンメモリ２７に相当し、設定記憶手段は前記設定メモリ２８に相当するものである。
【００９５】
また、前記チューナ部１４は、現在受信中の放送信号から得られるシグナルメータ電圧に基づいて現在受信中の放送局の受信レベルを検出する受信レベル検出手段である受信レベル検出部を有している。
【００９６】
前記多重データには、例えば一般文字放送に関わる一般放送多重データと、同一ネットワーク局の受信周波数をリスト化したＡＦリストと、同一の音声放送番組を放送局であることを示すＰＩコードと、特殊多重データとしての交通情報であるＶＩＣＳデータとが含まれている。
【００９７】
前記ＶＩＣＳデータとは、このＶＩＣＳデータを送信する放送局の周辺地域に関わる渋滞情報等の交通情報である。
【００９８】
前記ＬＣＤ表示部１９は、ＦＭ多重放送の一般文字放送を受信中の場合に、一般文字放送を画面表示するものであり、ＦＭ多重放送のＶＩＣＳ放送を受信中の場合に、この放送局の周辺地域に関わる交通情報を画面表示するものである。
【００９９】
また、このＦＭ多重受信装置においては、自動追従動作機能を有しており、前記パターンメモリ２７に記憶した追従パターンに基づいて自動追従動作を実行するものである。
【０１００】
尚、システムＣＰＵ２４は、前記保持メモリ２５に記憶中のＡＦリストに基づいてＰＬＬ回路１３やチューナ部１４等を電圧制御することにより、現在設定中の追従パターンに基づいて自動追従動作を実行するものである。
【０１０１】
では、次に本実施の形態に示すＦＭ多重受信装置１０の動作について説明する。図２は本実施の形態に示すＦＭ多重受信装置１０の追従パターン設定処理におけるシステムＣＰＵ２４の処理動作を示すフローチャートである。
【０１０２】
この追従パターン設定処理とは、ＬＣＤ表示部１９に表示中の表示内容に基づいて現在受信内容を認識し、この受信内容に応じた自動追従動作に関わる追従パターンを自動設定するものである。
【０１０３】
図２においてシステムＣＰＵ２４は、現在ＬＣＤ表示部１９に表示中の表示内容が一般放送画面、つまり、一般文字放送画面であるか否かを判定する（ステップＳ１１）。尚、このシステムＣＰＵ２４は、前記表示用ＣＰＵ２３を介して、このＬＣＤ表示部１９にて一般文字放送画面を表示中の場合には、受信内容として一般文字放送（一般放送多重データ）を受信中であると認識することができる。
【０１０４】
ステップＳ１１にてＬＣＤ表示部１９に表示中の表示内容が一般放送画面であれば、現在設定中の追従パターンによる追従動作を停止して（ステップＳ１２）、前記パターンメモリ２７から弱電界追従パターンを読み出して、この弱電界追従パターンを設定し（ステップＳ１３）、この設定された弱電界追従パターンを設定メモリ２８に記憶更新し（ステップＳ１４）、この弱電界追従パターンによる追従動作を許可し（ステップＳ１５）、この追従パターン設定処理の処理動作を終了する。
【０１０５】
ステップＳ１１にてＬＣＤ表示部１９に表示中の表示内容が一般放送画面でなければ、ＶＩＣＳ放送画面であるか否かを判定する（ステップＳ１６）。現在表示中の表示内容がＶＩＣＳ放送画面であれば、現在設定中の追従パターンによる追従動作を停止して（ステップＳ１７）、前記パターンメモリ２７から電界併用追従パターンを読み出して、この電界併用追従パターンを設定し（ステップＳ１８）、この設定された電界併用追従パターンを設定メモリ２８に記憶更新し（ステップＳ１９）、この電界併用追従パターンによる追従動作を許可し（ステップＳ２０）、この追従パターン設定処理の処理動作を終了する。
【０１０６】
また、ステップＳ１６にてＬＣＤ表示部１９に表示中の表示内容がＶＩＣＳ放送画面でなければ、多重放送以外の表示画面と判断し、追従パターン設定済みであるか否かを判定する（ステップＳ２１）。
【０１０７】
ステップＳ２１にて追従パターン設定済みであれば、この追従パターン設定処理の処理動作を終了する。
【０１０８】
また、ステップＳ２１にて追従パターン設定済みでなければ、前記設定メモリ２８に追従パターンが記憶してあるか否かを判定する（ステップＳ２２）。前記設定メモリ２８に追従パターンが記憶してあるのであれば、この設定メモリ２８に記憶中の追従パターンを読み出し、この追従パターンを設定し（ステップＳ２３）、この設定された追従パターンに基づいて追従動作を許可し（ステップＳ２４）、この追従パターン設定処理の処理動作を終了する。
【０１０９】
また、ステップＳ２２にて設定メモリ２８に追従パターンが記憶してあるのでなければ、前記パターンメモリ２７から弱電界追従パターンを読み出し、この弱電界追従パターンを設定し（ステップＳ２５）、この設定された弱電界追従パターンを設定メモリ２８に記憶更新し（ステップＳ２６）、この弱電界追従パターンによる追従動作を許可し（ステップＳ２７）、この追従パターン設定処理の処理動作を終了する。
【０１１０】
では、このように追従パターン設定処理にて設定された弱電界追従パターン及び電界併用追従パターンの処理動作について説明する。
【０１１１】
まずは、弱電界追従パターンについて説明する。図３は弱電界追従パターンにおけるシステムＣＰＵ２４の処理動作を示すフローチャートである。
【０１１２】
この弱電界追従パターンとは、ＶＩＣＳ放送以外の放送を受信中に実行される自動追従動作に関わる追従パターンである。
【０１１３】
図３においてシステムＣＰＵ２４は、現在受信中の放送電波の受信レベルを検出しながら、現在受信中の追従元放送局の受信レベルが追従電界開始レベル以下であるか否かを判定する（ステップＳ３１）。尚、この追従電界開始レベルとは、放送局の受信が維持できなくなるような受信レベルに相当するものである。
【０１１４】
ステップＳ３１にて追従元放送局の受信レベルが追従電界開始レベル以下であれば、保持メモリ２５内に保持してあるＡＦリストに基づいてＡＦ局を順次追従動作を実行し（ステップＳ３２）、現在追従されている放送局（以下、単に追従先放送局）の受信レベルを検出しながら、この追従先放送局が追従元放送局と同一放送内容であるか否かを判定する（ステップＳ３３）。
【０１１５】
尚、ここで同一放送内容であるか否かを判別するためには、追従元放送局のＰＩコードを予め記憶しておく必要があり、追従元放送局と追従先放送局とのＰＩコードが同一の場合には、同一放送内容として判定することができる。
【０１１６】
ステップＳ３３にて追従先放送局が追従元放送局と同一放送内容、つまり同一ＰＩコードと判定されたのであれば、この追従先放送局の受信レベルが追従電界停止レベル以上であるか否かを判定する（ステップＳ３４）。尚、追従電界停止レベルとは、放送局に対する良好な受信を充分に維持することができる受信レベルに相当するものである。
【０１１７】
ステップＳ３４にて追従先放送局の受信レベルが追従電界停止レベル以上であれば、この追従先放送局に対して周波数追従を実行し（ステップＳ３５）、この弱電界追従パターンの処理動作を終了する。
【０１１８】
ステップＳ３１にて追従元放送局の受信レベルが追従電界開始レベル以下でなければ、この弱電界追従処理の処理動作を終了する。
【０１１９】
また、ステップＳ３３にて追従先放送局が同一放送内容でなければ、又はステップＳ３４にて追従先放送局の受信レベルが追従電界停止レベル以上でなければ、ステップＳ３１に移行する。
【０１２０】
尚、この弱電界追従パターンの設定中においては継続的に現在受信中の放送局の受信レベルを検出し、その受信レベルが追従電界開始レベル以下となると、他のＡＦ局への追従動作を行うものである。
【０１２１】
では、次に追従パターンとしての電界併用追従パターンについて説明する。図４及び図５は電界併用追従パターンにおけるシステムＣＰＵ２４の処理動作を示すフローチャートである。
【０１２２】
この電界併用追従パターンとは、ＶＩＣＳ放送受信中に実行され、強電界追従動作及び弱電界追従動作を併用した自動追従動作に関わる追従パターンである。
【０１２３】
図４においてシステムＣＰＵ２４は、現在受信中の放送局（追従元放送局）の受信レベルを検出し、この追従元放送局の受信レベル及び受信周波数を受信メモリ２６に記憶し（ステップＳ４１）、前記保持メモリ２５に記憶中のＡＦリストに基づいてＡＦ局を順次追従動作を実行し（ステップＳ４２）、この追従先放送局が追従元放送局と同一放送であるか否かを判定する（ステップＳ４３）。
【０１２４】
この追従先放送局が追従元放送局と同一放送であれば、現在受信中の追従先放送局の受信レベルが受信メモリ２６に記憶した放送局の受信レベルよりも上か否かを判定する（ステップＳ４４）。
【０１２５】
現在受信中の追従先放送局の受信レベルが受信メモリ２６に記憶した放送局の受信レベルよりも上であれば、現在受信中の追従先放送局の受信周波数及び受信レベルを受信メモリ２６に記憶更新し（ステップＳ４５）、前記ＡＦリストに基づく全ＡＦ局への追従動作が終了したか否かを判定する（ステップＳ４６）。
【０１２６】
前記ＡＦリストに基づく全ＡＦ局への追従動作が終了したのであれば、受信メモリ２６に記憶更新した放送局の受信周波数に周波数追従し（ステップＳ４７）、図５に示すＭ１、つまり、弱電界追従動作に移行する。
【０１２７】
ステップＳ４３にて追従先放送局が追従元放送局と同一放送でなければ、又はステップＳ４４にて追従先放送局の受信レベルが受信メモリ２６に記憶してある放送局の受信レベルよりも上でなければ、ステップＳ４６に移行する。
【０１２８】
図５に示すＭ１においてシステムＣＰＵ２４は、次に図４に示す強電界追従動作（ステップＳ４１〜ステップＳ４７）を開始するまでの所定時間を計時するタイマーをセットし（ステップＳ５１）、現在受信中の放送局（追従元放送局）の受信レベルが追従電界開始レベル以下であるか否かを判定する（ステップＳ５２）。
【０１２９】
現在受信中の受信レベルが追従電界開始レベル以下であれば、前記保持メモリ２５に記憶中のＡＦリストに基づいてＡＦ局に対して順次追従動作を実行し（ステップＳ５３）、この追従先放送局が追従元放送局と同一放送であるか否かを判定する（ステップＳ５４）。
【０１３０】
この追従先放送局が追従元放送局と同一放送であれば、この追従先放送局の受信レベルが追従電界停止レベル以上であるか否かを判定する（ステップＳ５５）。この追従先放送局の受信レベルが追従電界停止レベル以上であれば、この追従先放送局の受信周波数及び受信レベルを受信メモリ２６に記憶更新し（ステップＳ５６）、この受信メモリ２６に記憶更新した放送局の受信周波数に周波数追従して（ステップＳ５７）、ステップＳ５２に移行する。
【０１３１】
ステップＳ５２にて現在受信中の放送局（追従元放送局）の受信レベルが追従電界開始レベル以下でなければ、又はステップＳ５４にて追従先放送局が追従元放送局と同一放送でなければ、又はステップＳ５５にて追従先放送局の受信レベルが追従電界停止レベル以上でなければ、ステップＳ５１にてセットしたタイマがタイムアップしたか否かを判定する（ステップＳ５８）。
【０１３２】
ステップＳ５１にてセットしたタイマーがタイムアップしたのであれば、図４に示す強電界追従動作に移行すると判断して、このタイマーをリセットした後（ステップＳ５９）、図４に示すＭ２に移行する。
【０１３３】
ステップＳ５８にてタイマがタイムアップしたのでなければ、ステップＳ５２に移行する。
【０１３４】
つまり、この電界併用追従パターンは、ＶＩＣＳ放送受信中に自動追従動作を行う場合に設定されるパターンであり、まずは強電界追従動作による追従動作を実行した後、この強電界追従動作が再開されるまで弱電界追従動作による追従動作を実行するといった具合に継続的に追従動作を実行するものである。
【０１３５】
上記実施の形態によれば、ＬＣＤ表示部１９に表示中の表示画面がＶＩＣＳ放送画面の場合には、ＶＩＣＳ放送を現在受信中であると認識し、前記パターンメモリ２７から電界併用追従パターンを読み出し、この読み出された電界併用追従パターンに基づいて追従動作を実行するようにしたので、その表示画面がＶＩＣＳ放送画面に切替わる度、その都度、ユーザーによる切換操作を行わずとも、ＶＩＣＳ放送受信中に対応した追従動作を自動的に設定することができる。それゆえ、その操作性は、従来に比して、著しく優れたものとなる。
【０１３６】
また、ＶＩＣＳ放送受信中に自動追従動作を実行する場合には電界併用追従パターンを設定するようにしたので、つまり、所定時間毎に強電界追従処理を実行し、さらに所定時間が経過するまでの間は弱電界追従処理を実行するようにしたので、常に受信レベルの良好なＶＩＣＳ放送に関わる放送局に対して自動追従動作を図ることができる。
【０１３７】
また、本実施の形態によれば、ＬＣＤ表示部１９に表示中の表示画面が一般文字放送画面の場合には、一般文字放送を現在受信中であると認識し、前記パターンメモリ２７から弱電界追従パターンを読み出し、この読み出された弱電界追従パターンに基づいて追従動作を実行するようにしたので、一般文字放送に関わる強電界追従処理の弊害を無くすと共に、表示画面が一般文字放送画面に切替わる度、その都度、ユーザーによる切換操作を行わずとも、一般文字放送受信中に対応した追従動作を自動的に設定することができる。それゆえ、その操作性は従来に比して、著しく優れたものとなる。
【０１３８】
また、本実施の形態によれば、多重放送表示画面から他の多重放送表示画面以外の画面に切換えた場合でも、多重放送表示時に設定メモリ２８に記憶した設定追従パターンを引き継ぐことを可能にしたので、ユーザーが一時的に他モードへ操作後、また多重放送画面に戻る場合を想定して、他モード時でも追従動作パターンを維持して追従することにより、多重放送画面を再表示させたときに適切な放送局を受信している状態を維持することが可能である。
【０１３９】
また、本実施の形態によれば、ＬＣＤ表示部１９に表示中の画面がＶＩＣＳ放送画面又は一般文字放送画面以外の画面に切替わり、さらに、設定メモリ２８に記憶中の設定追従パターンがないと判定されると、自動的に弱電界追従パターンを記憶させるようにしたので、常に円滑な自動追従動作を自動設定することができる。
【０１４０】
尚、上記実施の形態においては、ＶＩＣＳ放送受信中に自動追従動作を実行する場合には電界併用追従パターンを設定するようにしたが、単なる図７に示す強電界追従動作に関わる追従パターンを設定するようにしても良いことはいうまでもない。
【０１４１】
また、上記実施の形態においては多重放送受信装置としてＦＭ多重受信装置１０に適用して説明したが、例えば欧州等のＲＤＳ放送受信装置に適用しても同様の効果が得られることは言うまでもない。
【０１４２】
【発明の効果】
上記のように構成された本発明における請求項１記載の多重放送受信装置によれば、表示画面判定手段の判定結果に基づいて第１追従動作実行手段又は第２追従動作実行手段を切換設定するようにしたので、ユーザーは、その表示画面が特殊多重データに関わる画面に切替わる度に、その都度切換操作を行わずとも、特殊多重データ受信中に対応した自動追従動作を自動的に設定することができる。それゆえ、その操作性は、従来に比して、著しく優れたものとなる。
【０１４３】
また、本発明における請求項２記載の多重放送受信装置によれば、現在の表示画面が特殊多重データに関わる画面の場合に、受信内容認識手段にて特殊多重データに関わる受信内容を認識すると、ユーザーによる切換操作を行わずとも、追従パターン記憶手段から強電界追従パターンを読み出し、この読み出された強電界追従パターンに基づいて追従動作手段を制御するようにしたので、ユーザーは、その表示画面が特殊多重データに関わる画面に切替わる度に、その都度切換操作を行わずとも、特殊多重データ受信中に対応した自動追従動作を自動的に設定することができる。それゆえ、その操作性は、従来に比して、著しく優れたものとなる。
【０１４４】
また、本発明における請求項３記載の多重放送受信装置によれば、現在の表示画面が特殊多重データに関わる画面の場合に、受信内容認識手段にて特殊多重データに関わる受信内容を認識すると、ユーザーによる切換操作を行わずとも、追従パターン記憶手段から電界併用追従パターンを読み出し、この読み出された電界併用追従パターンに基づいて追従動作手段を制御するようにしたので、ユーザーは、その表示画面が特殊多重データに関わる画面に切替わる度に、その都度、切換操作を行わずとも、特殊多重データ受信中に対応した自動追従動作を自動的に設定することができる。それゆえ、その操作性は、従来に比べて、著しく優れたものとなる。
【０１４５】
また、特殊多重データを受信中に自動追従動作を実行する場合には電界併用追従パターンを設定するようにしたので、つまり、所定時間毎に強電界追従処理を実行し、さらに所定時間が経過するまでの間は弱電界追従処理を実行するようにしたので、常に受信レベルの良好な特殊多重データに関わる放送局に対して自動追従動作を図ることができる。
【０１４６】
また、本発明における請求項４記載の多重放送受信装置によれば、受信内容認識手段にて一般放送多重データに関わる受信内容を認識すると、追従パターン記憶手段から弱電界追従パターンを読み出し、この読み出された弱電界追従パターンに基づいて前記追従動作手段を制御するようにしたので、一般放送多重データに関わる強電界追従処理の弊害を無くすと共に、表示画面が一般放送多重データに関わる画面に切替わる毎に、その都度、ユーザーによる切換操作を行わずとも、一般放送多重データ受信中に対応した自動追従動作を自動的に設定することができる。それゆえ、その操作性は、従来に比べて、著しく優れたものとなる。
【０１４７】
また、本発明における請求項５又は６記載の多重放送受信装置によれば、多重放送表示画面から他の多重放送表示画面以外の画面に切換えた場合でも、多重放送表示時に設定記憶手段に記憶した設定追従パターンを引き継ぐことを可能にしたので、ユーザーが一時的に他モードへ操作後、また多重放送画面に戻る場合を想定して、他モード時でも追従動作パターンを維持して追従することにより、多重放送画面を再表示させたときに適切な放送局を受信している状態を維持することが可能である。
【０１４８】
また、本発明における請求項７又は８記載の多重放送受信装置によれば、受信内容認識手段にて特殊多重データ又は一般放送多重データ以外のデータに関わる受信内容を認識し、さらに、記憶有無判定手段にて記憶中の設定追従パターンがないと判定されると、設定記憶手段に弱電界追従パターンを記憶させるようにしたので、常に円滑な自動追従動作を自動設定することができる。
【０１４９】
また、本発明における請求項９、１０又は１１記載の多重放送受信装置によれば、特殊多重データであるＶＩＣＳ放送の受信中においては強電界追従パターン又は電界併用追従パターンを設定するようにしたので、常に多重放送受信装置が位置する地域の交通情報を得ることができる。
【図面の簡単な説明】
【図１】本発明の実施の形態に示すＦＭ多重受信装置内部の概略構成を示すブロック図である。
【図２】本実施の形態に示すＦＭ多重受信装置の追従パターン設定処理におけるシステムＣＰＵの処理動作を示すフローチャートである。
【図３】本実施の形態に示すＦＭ多重受信装置の弱電界追従パターンにおけるシステムＣＰＵの処理動作を示すフローチャートである。
【図４】本実施の形態に示すＦＭ多重受信装置の電界併用追従パターンにおけるシステムＣＰＵの処理動作を示すフローチャートである。
【図５】本実施の形態に示すＦＭ多重受信装置の電界併用追従パターンにおけるシステムＣＰＵの処理動作を示すフローチャートである。
【図６】従来技術の多重放送受信装置の弱電界追従処理の処理動作を示すフローチャートである。
【図７】従来技術の多重放送受信装置の強電界追従処理の処理動作を示すフローチャートである。
【符号の説明】
１０  ＦＭ多重受信装置（多重放送受信装置）
１１  受信アンテナ（受信手段）
１３  ＰＬＬ回路（受信手段、追従動作手段、第１追従動作実行手段、第２追従動作実行手段）
１４  チューナ部（受信手段、追従動作手段、受信レベル検出手段、
第１追従動作実行手段、第２追従動作実行手段）
１５  多重デスクランブル（データ抽出手段）
１６  多重デコーダ（データ抽出手段）
１９  ＬＣＤ表示部（表示手段）
２３  表示用ＣＰＵ（受信内容認識手段、表示画面判定手段）
２４  システムＣＰＵ（制御手段、記憶有無判定手段、受信内容認識手段、表示画面判定手段）
２７  パターンメモリ（追従パターン記憶手段）
２８  設定メモリ（設定記憶手段）
【図１】
0003710600.tif 000002
【図２】
0003710600.tif 000003
【図３】
0003710600.tif 000004
【図４】
0003710600.tif 000005
【図５】
0003710600.tif 000006
【図６】
0003710600.tif 000007
【図７】
0003710600.tif 000008